(57)【要約】【課題】下りリンク制御情報を効率的に送信することができる。【解決手段】基地局装置と通信する端末装置であって、５より大きい数の下りリンクキャリアを設定していることを示す情報と、同時に物理下りリンク制御チャネルをモニタ可能なセルの数を示す情報を受信する受信部と、前記同時に物理下りリンク制御チャネルをモニタ可能なセルの数を示す情報により指示されたセルのみの物理下りリンク制御チャネルをモニタするモニタ部と、を備える。【選択図】図８
2018050090.tif 000002
【特許請求の範囲】
【請求項１】
基地局装置と通信する端末装置であって、
５より大きい数の下りリンクキャリアを設定していることを示す情報と、
同時に物理下りリンク制御チャネルをモニタ可能なセルの数を示す情報を受信する受信部と、
前記同時に物理下りリンク制御チャネルをモニタ可能なセルの数を示す情報により指示されたセルの物理下りリンク制御チャネルをモニタするモニタ部と、を備える
端末装置。
【請求項２】
基地局装置と通信する端末装置であって、
５より大きい数の下りリンクキャリアを設定していることを示す情報と、
同時に活性化できる下りリンクセルの数を示す情報を受信する受信部と、
同時に活性化できる下りリンクセルの数を示す情報に基づいて下りリンクセルを活性化する媒体アクセス制御（MAC: Medium Access Control）層処理部と、
前記媒体アクセス制御（MAC: Medium Access Control）層処理部により活性化されたセルの物理下りリンク制御チャネルをモニタするモニタ部と、を備える
端末装置。
【請求項３】
端末装置と通信する基地局装置であって、
５より大きい数の下りリンクキャリアを設定していることを示す情報と、
同時に物理下りリンク制御チャネルをモニタ可能なセルの数を示す情報を送信する送信部と、
前記同時に物理下りリンク制御チャネルをモニタ可能なセルの数を示す情報により指示したセルの物理下りリンク制御チャネルを送信する物理下りリンク制御チャネル送信部と、を備える
基地局装置。
【請求項４】
端末装置と通信する基地局装置であって、
５より大きい数の下りリンクキャリアを設定していることを示す情報と、
同時に活性化できる下りリンクセルの数を示す情報を送信する送信部と、
同時に活性化できる下りリンクセルの数を示す情報に基づいて下りリンクセルを活性化する媒体アクセス制御（MAC: Medium Access Control）層処理部と、
前記媒体アクセス制御（MAC: Medium Access Control）層処理部により活性化したセルの物理下りリンク制御チャネルを送信する物理下りリンク制御チャネル送信部と、を備える
基地局装置。
【請求項５】
基地局装置と通信する端末装置の通信方法であって、
５より大きい数の下りリンクキャリアを設定していることを示す情報と、
同時に物理下りリンク制御チャネルをモニタ可能なセルの数を示す情報を受信し、
前記同時に物理下りリンク制御チャネルをモニタ可能なセルの数を示す情報により指示されたセルの物理下りリンク制御チャネルをモニタする
通信方法。
【請求項６】
基地局装置と通信する端末装置の通信方法であって、
５より大きい数の下りリンクキャリアを設定していることを示す情報と、
同時に活性化できる下りリンクセルの数を示す情報を受信し、
同時に活性化できる下りリンクセルの数を示す情報に基づいて下りリンクセルを活性化し、
前記活性化されたセルのみの物理下りリンク制御チャネルをモニタする
通信方法。
【請求項７】
端末装置と通信する基地局装置の通信方法であって、
５より大きい数の下りリンクキャリアを設定していることを示す情報と、
同時に物理下りリンク制御チャネルをモニタ可能なセルの数を示す情報を送信し、
前記同時に物理下りリンク制御チャネルをモニタ可能なセルの数を示す情報により指示したセルの物理下りリンク制御チャネルを送信する
通信方法。
【請求項８】
端末装置と通信する基地局装置の通信方法であって、
５より大きい数の下りリンクキャリアを設定していることを示す情報と、
同時に活性化できる下りリンクセルの数を示す情報を送信し、
同時に活性化できる下りリンクセルの数を示す情報に基づいて下りリンクセルを活性化し、
前記活性化したセルのみの物理下りリンク制御チャネルを送信する
通信方法。
【請求項９】
基地局装置と通信する端末装置に搭載される集積回路であって、
５より大きい数の下りリンクキャリアを設定していることを示す情報と、
同時に物理下りリンク制御チャネルをモニタ可能なセルの数を示す情報を受信する機能と、
前記同時に物理下りリンク制御チャネルをモニタ可能なセルの数を示す情報により指示されたセルの物理下りリンク制御チャネルをモニタする機能と、を前記端末装置に発揮させる
集積回路。
【請求項１０】
基地局装置と通信する端末装置に搭載される集積回路であって、
５より大きい数の下りリンクキャリアを設定していることを示す情報と、
同時に活性化できる下りリンクセルの数を示す情報を受信する機能と、
同時に活性化できる下りリンクセルの数を示す情報に基づいて下りリンクセルを活性化し、
前記活性化されたセルの物理下りリンク制御チャネルをモニタする機能と、を前記端末装置に発揮させる
集積回路。
【請求項１１】
端末装置と通信する基地局装置に搭載される集積回路であって、
５より大きい数の下りリンクキャリアを設定していることを示す情報と、
同時に物理下りリンク制御チャネルをモニタ可能なセルの数を示す情報を送信する機能と、
前記同時に物理下りリンク制御チャネルをモニタ可能なセルの数を示す情報により指示したセルの物理下りリンク制御チャネルを送信する機能と、を前記基地局装置に発揮させる
集積回路。
【請求項１２】
端末装置と通信する基地局装置に搭載される集積回路であって、
５より大きい数の下りリンクキャリアを設定していることを示す情報と、
同時に活性化できる下りリンクセルの数を示す情報を送信する機能と、
同時に活性化できる下りリンクセルの数を示す情報に基づいて下りリンクセルを活性化し、
前記活性化したセルの物理下りリンク制御チャネルを送信する機能と、を前記基地局装置に発揮させる
集積回路。
【発明の詳細な説明】
【技術分野】
【０００１】
本発明は、端末装置、基地局装置、集積回路、および、通信方法に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は複数のセルを管理してもよい。
【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤにおいて、上りリンク信号と下りリンク信号が時分割多重される。また、ＬＴＥは、周波数分割複信（Frequency Division Duplex: FDD）に対応している。
【０００４】
３ＧＰＰによって、端末装置が５つまでのサービングセル（コンポーネントキャリア）において同時に送信、および／または、受信を行うことができるキャリアアグリゲーションが仕様化されている。
【０００５】
３ＧＰＰにおいて、端末装置が５つを超えたサービングセル（コンポーネントキャリア）において同時に送信、および／または、受信を行うことが検討されている（非特許文献１）。また、端末装置が、プライマリーセル以外のサービングセルであるセカンダリーセルにおいて、物理上りリンク制御チャネルを送信することが検討されている（非特許文献１）。
【先行技術文献】
【非特許文献】
【０００６】
【非特許文献１】"New WI proposal: LTE Carrier Aggregation Enhancement Beyond 5 Carriers", RP-142286, Nokia Corporation, NTT DoCoMo Inc., Nokia Networks, 3GPP TSG RAN Meeting #66, Hawaii, United States of America, 8th - 11th December 2014.
【発明の概要】
【発明が解決しようとする課題】
【０００７】
しかしながら、しかしながら、上述のような無線システムにおいて、下りリンク制御情報が送信される際の具体的な方法は十分に検討されていなかった。
【０００８】
本発明は上記の点に鑑みてなされたものであり、その目的は、下りリンク制御情報を効率的に送信することができる端末装置、該端末装置に実装される集積回路、該端末装置に用いられる通信方法、基地局装置、該基地局装置に実装される集積回路、および、該基地局装置に用いられる通信方法を提供することを目的とする。
【課題を解決するための手段】
【０００９】
（１）上記の目的を達成するために、本発明の態様は、以下のような手段を講じた。すなわち、本発明の一様態における端末装置は、端末装置であって、５より大きい数の下りリンクキャリアを設定していることを示す情報と、同時に物理下りリンク制御チャネルをモニタ可能なセルの数を示す情報を受信する受信部と、前記同時に物理下りリンク制御チャネルをモニタ可能なセルの数を示す情報により指示されたセルの物理下りリンク制御チャネルをモニタするモニタ部と、を備える。
【００１０】
（２）本発明の一様態における端末装置は、端末装置であって、５より大きい数の下りリンクキャリアを設定していることを示す情報と、  同時に活性化できる下りリンクセルの数を示す情報を受信する受信部と、同時に活性化できる下りリンクセルの数を示す情報に基づいて下りリンクセルを活性化する媒体アクセス制御（MAC: Medium Access Control）層処理部と、前記媒体アクセス制御（MAC: Medium Access Control）層処理部により活性化されたセルの物理下りリンク制御チャネルをモニタするモニタ部と、を備える。
【００１１】
（３）本発明の一様態における基地局装置は、基地局装置であって、より大きい数の下りリンクキャリアを設定していることを示す情報と、同時に物理下りリンク制御チャネルをモニタ可能なセルの数を示す情報を送信する送信部と、前記同時に物理下りリンク制御チャネルをモニタ可能なセルの数を示す情報により指示したセルの物理下りリンク制御チャネルを送信する物理下りリンク制御チャネル送信部と、を備える。
【００１２】
（４）本発明の一様態における基地局装置は、基地局装置であって、５より大きい数の下りリンクキャリアを設定していることを示す情報と、と、同時に活性化できる下りリンクセルの数を示す情報を送信する送信部と、同時に活性化できる下りリンクセルの数を示す情報に基づいて下りリンクセルを活性化する媒体アクセス制御（MAC: Medium Access Control）層処理部と、前記媒体アクセス制御（MAC: Medium Access Control）層処理部により活性化したセルで物理下りリンク制御チャネルを送信する物理下りリンク制御チャネル送信部と、を備える。
【００１３】
（５）本発明の一様態における通信方法は、端末装置の通信方法であって、５より大きい数の下りリンクキャリアを設定していることを示す情報と、同時に物理下りリンク制御チャネルをモニタ可能なセルの数を示す情報を受信し、前記同時に物理下りリンク制御チャネルをモニタ可能なセルの数を示す情報により指示されたセルの物理下りリンク制御チャネルをモニタする。
【００１４】
（６）本発明の一様態における端末装置は、端末装置の通信方法であって、５より大きい数の下りリンクキャリアを設定していることを示す情報と、同時に活性化できる下りリンクセルの数を示す情報を受信し、同時に活性化できる下りリンクセルの数を示す情報に基づいて下りリンクセルを活性化し、前記活性化されたセルの物理下りリンク制御チャネルをモニタする。
【００１５】
（７）本発明の一様態における通信方法は、基地局装置の通信方法であって、５より大きい数の下りリンクキャリアを設定していることを示す情報と、同時に物理下りリンク制御チャネルをモニタ可能なセルの数を示す情報を送信し、前記同時に物理下りリンク制御チャネルをモニタ可能なセルの数を示す情報により指示したセルの物理下りリンク制御チャネルを送信する。。
【００１６】
（８）本発明の一様態における通信方法は、基地局装置の通信方法であって、より大きい数の下りリンクキャリアを設定していることを示す情報と、同時に活性化できる下りリンクセルの数を示す情報を送信し、同時に活性化できる下りリンクセルの数を示す情報に基づいて下りリンクセルを活性化し、前記活性化したセルの物理下りリンク制御チャネルを送信する。
【００１７】
（９）本発明の一様態における集積回路は、端末装置に搭載される集積回路であって、５より大きい数の下りリンクキャリアを設定していることを示す情報と、同時に物理下りリンク制御チャネルをモニタ可能なセルの数を示す情報を受信し、前記同時に物理下りリンク制御チャネルをモニタ可能なセルの数を示す情報により指示されたセルの物理下りリンク制御チャネルをモニタする機能を前記端末装置に発揮させる。
【００１８】
（１０）本発明の一様態における集積回路は、端末装置に搭載される集積回路であって、５より大きい数の下りリンクキャリアを設定していることを示す情報と、同時に活性化できる下りリンクセルの数を示す情報を受信し、同時に活性化できる下りリンクセルの数を示す情報に基づいて下りリンクセルを活性化し、前記活性化されたセルのみの物理下りリンク制御チャネルをモニタする機能を前記端末装置に発揮させる。
【００１９】
（１１）本発明の一様態における集積回路は、基地局装置に搭載される集積回路であって、５より大きい数の下りリンクキャリアを設定していることを示す情報と、同時に物理下りリンク制御チャネルをモニタ可能なセルの数を示す情報を送信し、前記同時に物理下りリンク制御チャネルをモニタ可能なセルの数を示す情報により指示したセルの物理下りリンク制御チャネルを送信する機能を前記基地局装置に発揮させる。
【００２０】
（１２）本発明の一様態における集積回路は、基地局装置に搭載される集積回路であって、５より大きい数の下りリンクキャリアを設定していることを示す情報と、同時に活性化できる下りリンクセルの数を示す情報を送信し、同時に活性化できる下りリンクセルの数を示す情報に基づいて下りリンクセルを活性化し、前記活性化したセルの物理下りリンク制御チャネルを送信する機能を前記基地局装置３に発揮させる。
【発明の効果】
【００２１】
この発明によれば、下りリンク制御情報を効率的に実行することができる。
【図面の簡単な説明】
【００２２】
【図１】本実施形態の無線通信システムの概念図である。
【図２】本実施形態の無線フレームの概略構成を示す図である。
【図３】本実施形態のスロットの構成を示す図である。
【図４】本実施形態の下りリンクサブフレームにおける物理チャネルおよび物理信号の配置の一例を示す図である。
【図５】本実施形態の上りリンクサブフレームにおける物理チャネルおよび物理信号の配置の一例を示す図である。
【図６】本実施形態のスペシャルサブフレームにおける物理チャネルおよび物理信号の配置の一例を示す図である。
【図７】本実施形態における５より大きい数の下りリンクキャリアが設定された場合の物理下りリンク制御チャネル／拡張物理下りリンク制御チャネルをモニタする下りリンクセルの一例を示す図である。
【図８】本実施形態における５より大きい数の下りリンクキャリアが設定された場合の物理下りリンク共有チャネルを同時に受信可能な下りリンクセルの一例を示す図である。
【図９】本実施形態における５より大きい数の下りリンクキャリアが設定された場合の活性化された下りリンクセルの一例を示す図である。
【図１０】本実施形態における複数の下りリンクセルに対して一括符号化が適用された下りリンク制御チャネルを介して下りリンク共有チャネルのリソースを指示する一例を示す図である。
【図１１】本実施形態における複数の下りリンクセルに対して個別符号化が適用された下りリンク制御チャネルを介して下りリンク共有チャネルのリソースを指示する一例を示す図である。
【図１２】本実施形態における複数の下りリンクセルに対してセルグループ毎に一括符号化が適用された下りリンク制御チャネルを介して下りリンク共有チャネルのリソースを指示する一例を示す図である。
【図１３】本実施形態の端末装置１の構成を示す概略ブロック図である。
【図１４】本実施形態の基地局装置３の構成を示す概略ブロック図である。
【発明を実施するための形態】
【００２３】
以下、本発明の実施形態について説明する。
【００２４】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００２５】
以下、キャリアアグリゲーションについて説明する。
【００２６】
本実施形態では、端末装置１は、複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。
【００２７】
本実施形態の無線通信システムは、ＴＤＤ（Time Division Duplex）および／またはＦＤＤ（Frequency Division Duplex）が適用される。セルアグリゲーションの場合には、複数のサービングセルの全てに対してＴＤＤが適用されてもよい。また、セルアグリゲーションの場合には、ＴＤＤが適用されるサービングセルとＦＤＤが適用されるサービングセルが集約されてもよい。
【００２８】
設定された複数のサービングセルは、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルである。ＲＲＣコネクションが確立された時点、または、後に、セカンダリーセルが設定されてもよい。
【００２９】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００３０】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００３１】
本実施形態において、ＰＵＣＣＨ（Physical Uplink Control Channel）の送信のために用いられるセカンダリーセルを、スペシャルセカンダリーセル、および、ＰＵＣＣＨセカンダリーセルと称する。本実施形態において、ＰＵＣＣＨの送信のために用いられないセカンダリーセルを、非スペシャルセカンダリーセル、非ＰＵＣＣＨセカンダリーセル、非ＰＵＣＣＨサービングセル、および、非ＰＵＣＣＨセルと称する。プライマリーセルおよびスペシャルセカンダリーセルを総称して、ＰＵＣＣＨサービングセル、および、ＰＵＣＣＨセルと称する。
【００３２】
ＰＵＣＣＨサービングセル（プライマリーセル、ＰＵＣＣＨセカンダリーセル）は、下りリンクコンポーネントキャリア、および、上りリンクコンポーネントキャリアを持つ。ＰＵＣＣＨサービングセル（プライマリーセル、ＰＵＣＣＨセカンダリーセル）において、ＰＵＣＣＨのリソースが設定される。
【００３３】
非ＰＵＣＣＨサービングセル（非ＰＵＣＣＨセカンダリーセル）は、下りリンクコンポーネントキャリアのみを持ってもよい。非ＰＵＣＣＨサービングセル（非ＰＵＣＣＨセカンダリーセル）は、下りリンクコンポーネントキャリア、および、上りリンクコンポーネントキャリアを持ってもよい。
【００３４】
端末装置１は、ＰＵＣＣＨサービングセルにおいてＰＵＣＣＨでの送信を行う。端末装置１は、プライマリーセルにおいてＰＵＣＣＨでの送信を行う。端末装置１は、スペシャルセカンダリーセルにおいてＰＵＣＣＨでの送信を行う。端末装置１は、非スペシャルセカンダリーセルにおいてＰＵＣＣＨでの送信を行わない。
【００３５】
尚、スペシャルセカンダリーセルを、プライマリーセルおよびセカンダリーセルでないサービングセルとして定義してもよい。
【００３６】
本実施形態の物理チャネルおよび物理信号について説明する。
【００３７】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３８】
ＰＵＣＣＨは、上りリンク制御情報（Uplink Control Information: UCI）を送信するために用いられる。上りリンク制御情報は、下りリンクのチャネル状態情報（Channel State Information: CSI）、ＰＵＳＣＨリソースの要求を示すスケジューリング要求（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement）を含む。ＨＡＲＱ−ＡＣＫは、ＡＣＫ（acknowledgement）またはＮＡＣＫ（negative-acknowledgement）を示す。ＨＡＲＱ−ＡＣＫを、ＡＣＫ／ＮＡＣＫ、ＨＡＲＱフィードバック、ＨＡＲＱ応答、ＨＡＲＱ情報、または、ＨＡＲＱ制御情報とも称する。
【００３９】
ＰＵＳＣＨは、上りリンクデータ（Uplink-Shared Channel: UL-SCH）を送信するために用いられる。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００４０】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨリソースの要求を示すために用いられる。
【００４１】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００４２】
本実施形態において、以下の２つのタイプの上りリンク参照信号が用いられる。
・ＤＭＲＳ（Demodulation Reference Signal）
・ＳＲＳ（Sounding Reference Signal）
【００４３】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００４４】
ＳＲＳは、ＰＵＳＣＨまたはＰＵＣＣＨの送信に関連しない。基地局装置３は、上りリンクのチャネル状態を測定するためにＳＲＳを使用する。
【００４５】
図１において、基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００４６】
ＰＢＣＨは、端末装置１で共通に用いられるマスターインフォメーションブロック（Master Information Block: MIB, Broadcast Channel: BCH）を報知するために用いられる。
【００４７】
ＰＣＦＩＣＨは、ＰＤＣＣＨの送信に用いられる領域（ＯＦＤＭシンボル）を指示する情報を送信するために用いられる。
【００４８】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００４９】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、ＤＣＩフォーマット３、ＤＣＩフォーマット３Ａ、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００５０】
下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。
【００５１】
上りリンクグラントは、単一のセル内の単一のＰＵＳＣＨのスケジューリングに用いられる。上りリンクグラントは、該上りリンクグラントが送信されたサブフレームより４つ以上後のサブフレーム内の単一のＰＵＳＣＨのスケジューリングに用いられる。上りリンクグラントは、ＰＵＳＣＨに対するＴＰＣコマンドを含む。
【００５２】
下りリンクグラント、または、上りリンクグラントに付加されるＣＲＣパリティビットは、ＲＮＴＩによってスクランブルされる。具体的には、下りリンクグラント、または、上りリンクグラントに、ＣＲＣ（Cyclic Redundancy check: 巡回冗長検査）パリティビットが付加され、付加された後に、ＣＲＣパリティビットがＲＮＴＩによってスクランブルされる。ここで、下りリンクグラント、または、上りリンクグラントに付加されるＣＲＣパリティビットは、ＤＣＩフォーマットのペイロードから得られてもよい。
【００５３】
端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも呼称される）。すなわち、端末装置１は、ＲＮＴＩによってスクランブルされたＣＲＣを伴うＰＤＣＣＨを検出する。また、端末装置１は、ＲＮＴＩによってスクランブルされたＣＲＣパリティビットが付加されたＤＣＩフォーマットを伴うＰＤＣＣＨを検出する。
【００５４】
ここで、ＲＮＴＩには、Ｃ−ＲＮＴＩ（Cell-Radio Network Temporary Identifier)が含まれる。Ｃ−ＲＮＴＩは、ＲＲＣ接続およびスケジューリングの識別に対して使用される、端末装置１に対するユニークな（一意的な）識別子である。Ｃ−ＲＮＴＩは、動的（dynamically）にスケジュールされるユニキャスト送信のために利用される。
【００５５】
また、ＲＮＴＩには、ＳＰＳ  Ｃ−ＲＮＴＩ（Semi-Persistent Scheduling C-RNTI）が含まれる。ＳＰＳ  Ｃ−ＲＮＴＩは、セミパーシステントスケジューリングに対して使用される、端末装置１に対するユニークな（一意的な）識別子である。ＳＰＳ  Ｃ−ＲＮＴＩは、半持続的（semi-persistently）にスケジュールされるユニキャスト送信のために利用される。
【００５６】
また、ＲＮＴＩには、ＲＡ−ＲＮＴＩ（Random Access RNTI）が含まれる。ＲＡ−ＲＮＴＩは、ランダムアクセスレスポンスメッセージの送信に対して使用される識別子である。すなわち、ＲＡ−ＲＮＴＩは、ランダムアクセスプロシージャにおいて、ランダムアクセスレスポンスメッセージの送信のために利用される。例えば、端末装置１は、ランダムアクセスプリアンブルを送信した場合に、ＲＡ−ＲＮＴＩによってスクランブルされたＣＲＣを伴うＰＤＣＣＨをモニタする。また、端末装置１は、ＲＡ−ＲＮＴＩによってスクランブルされたＣＲＣを伴うＰＤＣＣＨの検出に基づいてＰＤＳＣＨでランダムアクセスレスポンスを受信する。
【００５７】
また、ＲＮＴＩには、Ｐ−ＲＮＴＩ（Paging RNTI）が含まれる。Ｐ−ＲＮＴＩは、ページングおよびシステム情報の変化の通知に使用される識別子である。例えば、Ｐ−ＲＮＴＩは、ページングおよびシステム情報メッセージの送信のために利用される。端末装置１は、Ｐ−ＲＮＴＩによってスクランブルされたＣＲＣを伴うＰＤＣＣＨの検出に基づいてＰＤＳＣＨでページングを受信する。
【００５８】
また、ＲＮＴＩには、ＳＩ−ＲＮＴＩ（System Information RNTI）が含まれる。ＳＩ−ＲＮＴＩは、システム情報のブロードキャストに使用される識別子である。例えば、ＳＩ−ＲＮＴＩは、システム情報メッセージの送信のために利用される。端末装置１は、ＳＩ−ＲＮＴＩによってスクランブルされたＣＲＣを伴うＰＤＣＣＨの検出に基づいてＰＤＳＣＨでシステム情報メッセージを受信する。
【００５９】
また、ＲＮＴＩには、Ｔｅｍｐｏｒａｒｙ  Ｃ−ＲＮＴＩが含まれる。Ｔｅｍｐｏｒａｒｙ  Ｃ−ＲＮＴＩは、ランダムアクセスプロシージャに使用される識別子である。例えば、Ｔｅｍｐｏｒａｒｙ  Ｃ−ＲＮＴＩは、コンテンションベースドランダムアクセスプローシージャ（non-contention based random access procedure）において適用可能である。また、Ｔｅｍｐｏｒａｒｙ  Ｃ−ＲＮＴＩは、有効なＣ−ＲＮＴＩが利用可能ではない場合において適用可能である。例えば、端末装置１は、Ｔｅｍｐｏｒａｒｙ  Ｃ−ＲＮＴＩによってスクランブルされたＣＲＣを伴うＰＤＣＣＨの検出に基づいて、ＰＤＳＣＨでの受信を行う。
【００６０】
ＰＤＳＣＨは、下りリンクデータ（Downlink Shared Channel: DL-SCH）を送信するために用いられる。ここで、ＤＬ−ＳＣＨはトランスポートチャネルである。すなわち、ＰＤＳＣＨを用いて送信されるＤＬ−ＳＣＨは、ＰＤＣＣＨおよび／またはＲＮＴＩに関連するトランスポートチャネルである。
【００６１】
ＰＭＣＨは、マルチキャストデータ（Multicast Channel: MCH）を送信するために用いられる。
【００６２】
図１において、下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００６３】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００６４】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００６５】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００６６】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００６７】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００６８】
本実施形態において、複数のサービングセルのグループをＰＵＣＣＨセルグループと称する。あるサービングセルは、何れか１つのＰＵＣＣＨセルグループに属する。
【００６９】
１つのＰＵＣＣＨセルグループは、１つのＰＵＣＣＨサービングセルを含む。１つのＰＵＣＣＨセルグループは、１つのＰＵＣＣＨサービングセルのみを含んでもよい。１つのＰＵＣＣＨセルグループは、１つのＰＵＣＣＨサービングセル、および、１つまたは複数の非ＰＵＣＣＨサービングセルを含んでもよい。
【００７０】
プライマリーセルを含むＰＵＣＣＨセルグループを、プライマリーＰＵＣＣＨセルグループと称する。プライマリーセルを含まないＰＵＣＣＨセルグループを、セカンダリーＰＵＣＣＨセルグループと称する。すなわち、セカンダリーＰＵＣＣＨセルグループは、ＰＵＣＣＨセカンダリーセルを含む。
【００７１】
ＰＵＣＣＨセルグループを識別するためのインデックス（セルグループインデックス）が定義されてもよい。
プライマリーＰＵＣＣＨセルグループに対するインデックスは常に０である。
セカンダリーＰＵＣＣＨセルグループに対するインデックスはネットワーク装置（基地局装置３）によって設定されてもよい。
【００７２】
ＰＵＣＣＨサービングセルのＰＵＣＣＨは、該ＰＵＣＣＨサービングセルが属するＰＵＣＣＨセルグループに含まれるサービングセル（ＰＵＣＣＨサービングセル、非ＰＵＣＣＨサービングセル）に対する上りリンク制御情報（ＨＡＲＱ−ＡＣＫ、および／または、ＣＳＩ）を送信するために用いられる。
【００７３】
すなわち、ＰＵＣＣＨセルグループに含まれるサービングセル（ＰＵＣＣＨサービングセル、非ＰＵＣＣＨサービングセル）に対する上りリンク制御情報（ＨＡＲＱ−ＡＣＫ、および／または、ＣＳＩ）は、該ＰＵＣＣＨセルグループに含まれるＰＵＣＣＨサービングセルにおけるＰＵＣＣＨを用いて送信される。
【００７４】
本実施形態は、ＨＡＲＱ−ＡＣＫのみに対して適用されてもよい。本実施形態は、ＣＳＩのみに対して適用されてもよい。本実施形態は、ＨＡＲＱ−ＡＣＫおよびＣＳＩに対して適用されてもよい。ＨＡＲＱ−ＡＣＫに対するＰＵＣＣＨセルグループと、ＣＳＩに対するＰＵＣＣＨセルグループは個別に定義されてもよい。ＨＡＲＱ−ＡＣＫに対するＰＵＣＣＨセルグループと、ＣＳＩに対するＰＵＣＣＨセルグループは共通であってもよい。
【００７５】
以下、本実施形態の無線フレーム（radio frame）の構成について説明する。
【００７６】
図２は、本実施形態の無線フレームの概略構成を示す図である。無線フレームのそれぞれは、１０ｍｓ長である。図２において、横軸は時間軸である。また、無線フレームのそれぞれは２つのハーフフレームから構成される。ハーフフレームのそれぞれは、５ｍｓ長である。ハーフフレームのそれぞれは、５のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００７７】
単一の無線フレームは、少なくとも下りリンクサブフレーム、上りリンクサブフレーム、およびスペシャルサブフレームから構成される。
【００７８】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【００７９】
以下、本実施形態のスロットの構成について説明する。
【００８０】
図３は、本実施形態のスロットの構成を示す図である。本実施形態では、ＯＦＤＭシンボルに対してノーマルＣＰ（normal Cyclic Prefix）が適用される。尚、ＯＦＤＭシンボルに対して拡張ＣＰ（extended Cyclic Prefix）が適用されてもよい。スロットのそれぞれにおいて送信される物理信号または物理チャネルは、リソースグリッドによって表現される。図３において、横軸は時間軸であり、縦軸は周波数軸である。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。１つのスロットを構成するサブキャリアの数は、セルの帯域幅に依存する。１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別する。
【００８１】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００８２】
以下、サブフレームのそれぞれにおいて送信される物理チャネルおよび物理信号について説明する。
【００８３】
図４は、本実施形態の下りリンクサブフレームにおける物理チャネルおよび物理信号の配置の一例を示す図である。図４において、横軸は時間軸であり、縦軸は周波数軸である。基地局装置３は、下りリンクサブフレームにおいて、下りリンク物理チャネル（ＰＢＣＨ、ＰＣＦＩＣＨ、ＰＨＩＣＨ、ＰＤＣＣＨ、ＥＰＤＣＣＨ、ＰＤＳＣＨ）、および下りリンク物理信号（同期信号、下りリンク参照信号）を送信してもよい。尚、ＰＢＣＨは無線フレーム内のサブフレーム０のみで送信される。尚、下りリンク参照信号は周波数領域および時間領域において分散するリソースエレメントに配置される。説明の簡略化のため図４において下りリンク参照信号は図示しない。
【００８４】
ＰＤＣＣＨ領域において、複数のＰＤＣＣＨが周波数および時間多重されてもよい。ＥＰＤＣＣＨ領域において、複数のＥＰＤＣＣＨが周波数、時間、および空間多重されてもよい。ＰＤＳＣＨ領域において、複数のＰＤＳＣＨが周波数および空間多重されてもよい。ＰＤＣＣＨとＰＤＳＣＨまたはＥＰＤＣＣＨは時間多重されてもよい。ＰＤＳＣＨとＥＰＤＣＣＨは周波数多重されてもよい。
【００８５】
図５は、本実施形態の上りリンクサブフレームにおける物理チャネルおよび物理信号の配置の一例を示す図である。図５において、横軸は時間軸であり、縦軸は周波数軸である。端末装置１は、上りリンクサブフレームにおいて、上りリンク物理チャネル（ＰＵＣＣＨ、ＰＵＳＣＨ、ＰＲＡＣＨ）、および上りリンク物理信号（ＤＭＲＳ、ＳＲＳ）を送信してもよい。ＰＵＣＣＨ領域において、複数のＰＵＣＣＨが周波数、時間、および符合多重される。ＰＵＳＣＨ領域において、複数のＰＵＳＣＨが周波数および空間多重されてもよい。ＰＵＣＣＨとＰＵＳＣＨは周波数多重されてもよい。ＰＲＡＣＨは単一のサブフレームまたは２つのサブフレームにわたって配置されてもよい。また、複数のＰＲＡＣＨが符号多重されてもよい。
【００８６】
ＳＲＳは上りリンクサブフレーム内の最後のＳＣ−ＦＤＭＡシンボルを用いて送信される。つまり、ＳＲＳは上りリンクサブフレーム内の最後のＳＣ−ＦＤＭＡシンボルに配置される。端末装置１は、単一のセルの単一のＳＣ−ＦＤＭＡシンボルにおいて、ＳＲＳとＰＵＣＣＨ／ＰＵＳＣＨ／ＰＲＡＣＨを同時に送信することはできない。端末装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いてＰＵＳＣＨおよび／またはＰＵＣＣＨを送信し、該上りリンクサブフレーム内の最後のＳＣ−ＦＤＭＡシンボルを用いてＳＲＳを送信することができる。つまり、単一のセルの単一の上りリンクサブフレームにおいて、端末装置１は、ＳＲＳとＰＵＳＣＨ／ＰＵＣＣＨの両方を送信することができる。尚、ＤＭＲＳはＰＵＣＣＨまたはＰＵＳＣＨと時間多重される。説明の簡略化のため図５においてＤＭＲＳは図示しない。
【００８７】
図６は、本実施形態のスペシャルサブフレームにおける物理チャネルおよび物理信号の配置の一例を示す図である。図６において、横軸は時間軸であり、縦軸は周波数軸である。図６において、ＤｗＰＴＳはスペシャルサブフレーム内の１番目から１０番目のＳＣ−ＦＤＭＡシンボルから構成され、ＧＰはスペシャルサブフレーム内の１１番目と１２番目のＳＣ−ＦＤＭＡシンボルから構成され、ＵｐＰＴＳはスペシャルサブフレーム内の１３番目と１４番目のＳＣ−ＦＤＭＡシンボルから構成される。
【００８８】
基地局装置３は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信してもよい。基地局装置３は、スペシャルサブフレームのＤｗＰＴＳにおいて、ＰＢＣＨを送信しない。端末装置１は、スペシャルサブフレームのＵｐＰＴＳにおいて、ＰＲＡＣＨ、およびＳＲＳを送信してもよい。つまり、端末装置１は、スペシャルサブフレームのＵｐＰＴＳにおいて、ＰＵＣＣＨ、ＰＵＳＣＨ、およびＤＭＲＳを送信しない。
【００８９】
図７は、本実施形態における５より大きい数の下りリンクセルを端末装置１に設定した場合の図である。
【００９０】
本実施形態において、図に示すように、例えば、３２までの下りリンクコンポーネントャリア（下りリンクのセル、up to 32 downlink component carrier）のキャリアアグリゲーションがサポートされてもよい。すなわち、基地局装置３と端末装置１は、３２までのサービングセルにおいて、同時に複数の物理チャネルでの送信、および／または受信を行うことができる。ここで、上りリンクのコンポーネントキャリアの数は、下りリンクのコンポーネントキャリアの数よりも少なくてもよい。
【００９１】
図７において、本実施形態では、端末装置１に対して、設定するコンポーネントキャリアを示すパラメータ（例えば、SCellToAddMod-r13）と設定するコンポーネントキャリアのリスト（例えば、sCellToAddModList-r13）によりＲＲＣ層で下りリンクのコンポーネントキャリアが設定される。
【００９２】
さらに、本実施形態では、設定したリストの中から、端末装置１が同時にＰＤＣＣＨ／ＥＰＤＣＣＨをモニタできるセルの数を示すパラメータと該セルのインデックス（例えば、SCellIndex-r13）、または同時にＰＤＣＣＨ／ＥＰＤＣＣＨをモニタできるセルのインデックス（例えば、SCellIndex-r13）を設定してもよい。
【００９３】
また、本実施形態では、設定したリストの中から、端末装置１が同時にＰＤＳＣＨを受信できるセルの数と該セルのインデックス（例えば、SCellIndex-r13）、またはセルの同時にＰＤＳＣＨを受信できるインデックス（例えば、SCellIndex-r13）を設定してもよい。
【００９４】
図８に、端末装置が同時に受信できるＰＤＳＣＨの下りリンクセルが設定される例を示している。
【００９５】
サービングセルがプライマリーセルである、または、サービングセルがセカンダリーセルであり、端末装置１が他のサービングセル（プライマリーセル）において、サービングセル（セカンダリーセル）に対応しＣＩＦを伴うＰＤＣＣＨ／ＥＰＤＣＣＨをモニタするように設定されていない場合は、サービングセルのＰＤＳＣＨをＰＤＣＣＨ／ＥＰＤＣＣＨを介して受信する。
【００９６】
ＣＩＦをともなうＰＤＣＣＨ／ＥＰＤＣＣＨをモニタすることは、ＣＩＦを含むＤＣＩフォーマットに応じてＰＤＣＣＨまたはＥＰＤＣＣＨのデコードを試みることを意味する。ＣＩＦは、キャリアインディケータがマップされるフィールドである。キャリアインディケータの値は、該キャリアインディケータが関連するＤＣＩフォーマットが対応するサービングセルを示す。
【００９７】
他のサービングセルにおいて、サービングセルに対応しＣＩＦをともなうＰＤＣＣＨ／ＥＰＤＣＣＨをモニタするように設定されている端末装置１は、該他のサービングセルにおいてＣＩＦをともなうＰＤＣＣＨ／ＥＰＤＣＣＨをモニタする。
【００９８】
他のサービングセルにおいて、サービングセルに対応しＣＩＦをともなうＰＤＣＣＨ／ＥＰＤＣＣＨをモニタするように設定されている端末装置１は、該他のサービングセルにおいて、該サービングセルに対するＰＤＳＣＨをＰＤＣＣＨ／ＥＰＤＣＣＨを介して受信することが好ましい。
【００９９】
他のサービングセルにおいて、サービングセルに対応しＣＩＦをともなうＰＤＣＣＨ／ＥＰＤＣＣＨをモニタするように設定されていない端末装置１は、該サービングセルにおいてＣＩＦをともなう、または、ＣＩＦを伴わないＰＤＣＣＨ／ＥＰＤＣＣＨをモニタする。
【０１００】
他のサービングセルにおいて、サービングセルに対応しＣＩＦをともなうＰＤＣＣＨ／ＥＰＤＣＣＨをモニタするように設定されていない端末装置１は、該サービングセルにおいて、該サービングセルに対する第３の情報をＰＤＣＣＨ／ＥＰＤＣＣＨを介して受信することが好ましい。
【０１０１】
プライマリーセルに対するＰＤＣＣＨ／ＥＰＤＣＣＨは、プライマリーセルにおいて送信される。プライマリーセルに対する第３の情報は、プライマリーセルのＰＤＣＣＨ／ＥＰＤＣＣＨを介して送信されることが好ましい。
【０１０２】
基地局装置３は、プライマリーセルにおいて送信されるＤＣＩフォーマットにＣＩＦが含まれるかどうかを示すパラメータ（例えば、cif-Presence）を、端末装置１に送信する。
【０１０３】
基地局装置３は、セカンダリーセルのそれぞれに対して、クロスキャリアスケジューリングに関連するパラメータ（例えば、CrossCarrierSchedulingConfig-r13）を、端末装置１に送信する。
【０１０４】
パラメータ（例えば、CrossCarrierSchedulingConfig-r13）は、関連するセカンダリーセルに対応するＰＤＣＣＨ／ＥＰＤＣＣＨが、該セカンダリーセルで送信されるか、他のサービングセルで送信されるかを示すパラメータ（例えば、schedulingCellInfo-r13）を含む。
【０１０５】
パラメータ（例えば、schedulingCellInfo-r13）が、関連するセカンダリーセルに対応するＰＤＣＣＨ／ＥＰＤＣＣＨが該セカンダリーセルで送信されることを示している場合、パラメータ（例えば、schedulingCellInfo-r13）は、該セカンダリーセルにおいて送信されるＤＣＩフォーマットにＣＩＦが含まれるかどうかを示すパラメータ（例えば、cif-Presence）を含む。
【０１０６】
パラメータ（例えば、schedulingCellInfo-r13）が、関連するセカンダリーセルに対応するＰＤＣＣＨ／ＥＰＤＣＣＨが他のサービングセルで送信されることを示している場合、パラメータ（例えば、schedulingCellInfo-r13）は、関連する前記セカンダリーセルに対する下りリンク割り当てが何れのサービングセルで送られるかを示すパラメータ（例えば、schedulingCellId）を含む。
【０１０７】
図９は、本発明の別の実施態様として、同時に活性化できる下りリンクのセルを設定する場合の例を示す。
【０１０８】
図９では、端末装置１に対して、設定するコンポーネントキャリアを示すパラメータ（例えば、SCellToAddMod-r13）と設定するコンポーネントキャリアのリスト（例えば、sCellToAddModList-r13）によりＲＲＣ層において下りリンクのコンポーネントキャリアが設定される。
【０１０９】
さらに、端末装置１に対して、同時に活性化できる下りリンクのセルの数を設定するパラメータを用いることによって同時に活性化できる下りリンクのセルの数が設定されもよい。
【０１１０】
なお、端末装置１は基地局装置３に対して、同時に活性化できる下りリンクのセルの数（下りリンクコンポーネントキャリアの数）を示すために用いられる情報を、端末装置の能力（UE-EUTRA Capability、能力に関する情報）に含めて転送／送信してもよい。すなわち、端末装置１は、同時に活性化可能な下りリンクコンポーネントキャリアの数を示すために用いられる情報を、能力に関する情報に含めて送信してもよい。ここで、プライマリーセルは、および／または、ＰＵＣＣＨセカンダリーセルは、常に活性化されてもよい。例えば、プライマリーセルを含む５つまでの下りリンクコンポーネントキャリアの活性化をサポートする端末装置１は、同時に活性化可能な下りリンクコンポーネントキャリアの数を示すために用いられる情報として、４、または、５を示すために用いられる情報を送信してもよい。
【０１１１】
なお、端末装置１は基地局装置３に対して、同時に活性化できる上りリンクのセルの数（上りリンクコンポーネントキャリアの数）を示すために用いられる情報を、端末装置の能力（UE-EUTRA Capability、能力に関する情報）に含めて転送／送信してもよい。すなわち、端末装置１は、同時に活性化可能な上りリンクコンポーネントキャリアの数を示すために用いられる情報を、能力に関する情報に含めて送信してもよい。
【０１１２】
すなわち、端末装置１は、あるサブフレームにおいて同時に受信可能（モニタ可能、検出可能）なＰＤＣＣＨの数を示すために用いられる情報を、能力に関する情報に含めて送信してもよい。また、端末装置１は、あるサブフレームにおいて同時に受信可能なＰＤＳＣＨの数を示すために用いられる情報を、能力に関する情報に含めて送信してもよい。例えば、端末装置１は、あるサブフレーム（同一のサブフレーム）における下りリンクにおいて同時に受信可能な物理チャネルの組み合わせ（the possible combinations of physical channels that can be received in the downlink in the same subframe）を示す情報を送信してもよい。ここで、例えば、物理チャネルには、ＰＤＣＣＨが含まれてもよい。また、物理チャネルには、ＥＰＤＣＣＨが含まれてもよい。また、物理チャネルには、ＰＤＳＣＨが含まれてもよい。また、物理チャネルには、ＰＢＣＨが含まれてよい。また、物理チャネルには、ＰＭＣＨが含まれてもよい。
【０１１３】
また、端末装置１は、モニタされるＲＮＴＩのそれぞれに対する、あるサブフレームにおいて同時に受信可能な、ＰＤＣＣＨの数および／またはＰＤＳＣＨの数を示すために用いられる情報を送信してもよい。例えば、端末装置１は、あるサブフレームにおいて同時に受信可能な、ＳＩ−ＲＮＴＩによってスクランブルされたＣＲＣが付加されたＰＤＣＣＨの数、および／または、該ＰＤＣＣＨを用いることによってスケジュールされるＰＤＳＣＨの数を示すために用いられる情報を送信してもよい。ここで、ＳＩ−ＲＮＴＩによってスクランブルされたＣＲＣが付加されたＰＤＣＣＨの数は１でもよい。また、ここで、該ＰＤＣＣＨを用いることによってスケジュールされるＰＤＳＣＨの数は１でもよい。
【０１１４】
また、端末装置１は、あるサブフレームにおいて同時に受信可能な、ＲＡ−ＲＮＴＩによってスクランブルされたＣＲＣが付加されたＰＤＣＣＨの数、および／または、該ＰＤＣＣＨを用いることによってスケジュールされるＰＤＳＣＨの数を示すために用いられる情報を送信してもよい。ここで、ＲＡ−ＲＮＴＩによってスクランブルされたＣＲＣが付加されたＰＤＣＣＨの数は１でもよい。また、ここで、該ＰＤＣＣＨを用いることによってスケジュールされるＰＤＳＣＨの数は１でもよい。
【０１１５】
また、端末装置１は、あるサブフレームにおいて同時に受信可能な、Ｔｅｍｐｏｒａｒｙ  Ｃ−ＲＮＴＩによってスクランブルされたＣＲＣが付加されたＰＤＣＣＨの数、および／または、該ＰＤＣＣＨを用いることによってスケジュールされるＰＤＳＣＨの数を示すために用いられる情報を送信してもよい。ここで、Ｔｅｍｐｏｒａｒｙ  Ｃ−ＲＮＴＩによってスクランブルされたＣＲＣが付加されたＰＤＣＣＨの数は１でもよい。また、ここで、該ＰＤＣＣＨを用いることによってスケジュールされるＰＤＳＣＨの数は１でもよい。
【０１１６】
また、端末装置１は、あるサブフレームにおいて同時に受信可能な、Ｃ−ＲＮＴＩおよび／またはＳＰＳ  Ｃ−ＲＮＴＩによってスクランブルされたＣＲＣが付加されたＰＤＣＣＨの数、および／または、該ＰＤＣＣＨを用いることによってスケジュールされるＰＤＳＣＨの数を示すために用いられる情報を送信してもよい。ここで、ＳＰＳ  Ｃ−ＲＮＴＩによってスクランブルされたＣＲＣが付加されたＰＤＣＣＨの数は１でもよい。また、ここで、該ＰＤＣＣＨを用いることによってスケジュールされるＰＤＳＣＨの数は１でもよい。ここで、ＳＰＳ  Ｃ−ＲＮＴＩによってスクランブルされたＣＲＣが付加されたＰＤＣＣＨは、ＰＤＳＣＨのスケジューリングに用いられる。
【０１１７】
すなわち、端末装置１は、あるサブフレームにおいて同時に受信可能な、Ｃ−ＲＮＴＩおよび／またはＳＰＳ  Ｃ−ＲＮＴＩによってスクランブルされたＣＲＣが付加されたＰＤＣＣＨ、および、ＰＤＳＣＨの組み合わせの数を示すために用いられる情報を送信してもよい。ここで、ＰＤＳＣＨは、該ＰＤＣＣＨを用いることによってスケジュールされるＰＤＳＣＨである。
【０１１８】
基地局装置３は、設定された該同時に活性化できる下りリンクのセルの数に基づいて下りリンクセルをＭＡＣ層において活性化してもよい。
【０１１９】
端末装置１は、活性化されたセルのＰＤＣＣＨ／ＥＰＤＣＣＨをモニタし、ＰＤＣＣＨ／ＥＰＤＣＣＨを介してＰＤＳＣＨを受信する。すなわち、端末装置１は、活性化されたセルにおいて、ＰＤＣＣＨ／ＥＰＤＣＣＨをモニタする。また、端末装置１は、非活性化されたセルにおいて、ＰＤＣＣＨ／ＥＰＤＣＣＨをモニタしない。
【０１２０】
ここで、基地局装置３は、上位層の信号（例えば、ＭＡＣコントロールエレメント）を用いて、１つまたは複数のサービングセルを、活性化（activate）または非活性化（deactivate）してもよい。例えば、活性化または非活性のメカニズムは、ＭＡＣコントロールエレメントと非活性化に関連するタイマー（deactivation timer）の組み合わせに基づいてもよい。
【０１２１】
ここで、基地局装置３は、単一のコマンド（a single activation/deactivation command）を用いて、ＰＵＣＣＨセカンダリーセルを含む複数のセカンダリーセルを、独立に、活性化または非活性化してもよい。すなわち、基地局装置３は、セカンダリーセルを活性化または非活性化するために用いられる単一のコマンドを、ＭＡＣコントロールエレメントを用いて送信してもよい。
【０１２２】
また、非活性化に関連するタイマーの値として、上位層（例えば、ＲＲＣ層）によって、端末装置１毎に、１つの共通の値が設定されてもよい。また、非活性化に関連するタイマー（タイマーの値）は、セカンダリーセル毎に保持されてもよい。
【０１２３】
また、基地局装置３は、セカンダリーセルに対する非活性化に関連するタイマーと設定するための情報が含まれる上位層の信号を送信してもよい。
【０１２４】
なお、同時にＰＤＣＣＨ／ＥＰＤＣＣＨをモニタできるセルの数、同時にＰＤＳＣＨを受信できるセルの数、または同時に活性化できるセルの数は、下りリンクのコンポーネントキャリア毎に設定せず、セルグループ（例えば、ＰＵＣＣＨセルグループ）毎に設定されてもよい。
【０１２５】
次に、図１０に別の本実施形態として複数の下りリンクセルが設定された場合に、ＰＤＣＣＨ／ＥＰＤＣＣＨを介して複数のセルのＰＤＳＣＨを指示する一括符号化（Joint coding）を適用する例を示す。
【０１２６】
図１０において、基地局装置３は下りリンクセル５、６、７が少なくとも設定され、活性化されている。端末装置１は、下りリンクセル５のＰＤＣＣＨをモニタし、下りリンク制御情報（ＤＣＩ）の復号結果から、下りリンクセル５、６、７のＰＤＳＣＨを受信する。なお、下りリンクセル５のＰＤＣＣＨをモニタすることは、例えばＲＲＣ層の第２の情報により端末装置１に設定されてもよいし、他のパラメータとして設定されたものから暗黙的（Implicit）に設定されてもよい。
【０１２７】
なお、図１０はＰＤＣＣＨを用いた例を示しているが、ＥＰＤＣＣＨでも適用できる。また、端末装置１がモニタするセルはプライマリーセルでもよいし、セカンダリーセルで設定されたセルでもよい。また、セルグループ化されたＰＵＣＣＨセルでもよいし、端末装置１は一括符号化されたＰＤＣＣＨ／ＥＰＤＣＣＨを含むセルのみモニタしてもよい。ここで、一括符号化されるかどうかは、端末装置１に対してＲＲＣパラメータ、例えば第３の情報を介して設定されてもよい。
【０１２８】
ここで、端末装置１は、下りリンクセル５においてＰＤＣＣＨをモニタし、下りリンク制御情報に基づいて、下りリンクセル５におけるＰＤＳＣＨ、下りリンクセル６におけるＰＤＳＣＨ、および、下りリンクセル７におけるＰＤＳＣＨを受信してもよい。また、端末装置１は、下りリンクセル５においてＰＤＣＣＨをモニタし、下りリンク制御情報に基づいて、下りリンクセル５、下りリンクセル６、下りリンクセル７に亘る（over）１つのＰＤＳＣＨを受信してもよい。
【０１２９】
すなわち、下りリンク制御情報フォーマットとして、複数の下りリンクセルにおける複数のＰＤＳＣＨのスケジューリングに用いられるＤＣＩフォーマットが定義されてもよい。ここで、下りリンク制御情報フォーマットを用いることによって、１つのＰＤＳＣＨが、複数の下りリンクセルのそれぞれにおいてスケジュールされてもよい。また、下りリンク制御情報フォーマットとして、複数の下りリンクセルに亘る（over）１つのＰＤＳＣＨのスケジューリングに用いられるＤＣＩフォーマットが定義されてもよい。ここで、該下りリンク制御情報フォーマットを用いることによって、１つのＰＤＳＣＨが、複数の下りリンクセルに渡ってスケジュールされてもよい。ここで、複数の下りリンクセルにおける複数のＰＤＳＣＨのスケジューリングに用いられる下りリンク制御情報フォーマット、および／または、複数の下りリンクセルに亘る１つのＰＤＳＣＨのスケジューリングに用いられる下りリンク制御情報フォーマットを、ＤＣＩフォーマット６とも称する。
【０１３０】
ここで、ＤＣＩフォーマット６の送信に用いられるＰＤＣＣＨ／ＥＰＤＣＣＨを、一括符号化されたＰＤＣＣＨ／ＥＰＤＣＣＨ（第１のＰＤＣＣＨ／ＥＰＤＣＣＨ）とも称する。なお、あるいはＤＣＩフォーマット２Ｅなど他の名称が用いられてもよく、以降では、ＤＣＩフォーマット６として説明する。ここで、端末装置１が、第１のＰＤＤＣＨ／ＥＰＤＣＣＨをモニタすることを、第１のＰＤＤＣＨ／ＥＰＤＣＣＨに基づくモニタリングとも称する。すなわち、第１のＰＤＤＣＨ／ＥＰＤＣＣＨに基づくモニタリングとは、第１のＰＤＤＣＨ／ＥＰＤＣＣＨに対してデコードを試みることが含まれてもよい。モニタリングとは、モニタされる下りリンク制御情報フォーマットに応じて、ＰＤＣＣＨ候補のセットにおいてＰＤＣＣＨのそれぞれのデコードを試みること、および／または、ＥＰＤＣＣＨ候補のセットにおいてＥＰＤＣＣＨのそれぞれのデコードを試みることを意味する。
【０１３１】
ここで、ある１つのＤＣＩフォーマット６を用いることによってスケジュールされる複数のＰＤＳＣＨは、基地局装置３によって設定されてもよい。例えば、基地局装置３は、複数のＰＤＳＣＨに対応するサービングセルインデックスを設定することによって、ある１つのＤＣＩフォーマット６を用いることによってスケジュールされる複数のＰＤＳＣＨを設定してもよい。例えば、基地局装置３は、ある１つのＤＣＩフォーマット６を用いることによってスケジュールされる複数のＰＤＳＣＨを、上位層の信号に含まれる情報を用いることによって設定してもよい。
【０１３２】
例えば、基地局装置３は、第１のＰＤＣＣＨ／ＥＰＤＣＣＨに基づくモニタを行うよう（ＤＣＩフォーマット６を受信するよう）設定するための情報、および、ＰＤＳＣＨが該あるサービングセルにおいてスケジュールされることを示す情報を、サービングセル毎に送信してもよい。
【０１３３】
例えば、基地局装置３は、下りリンクセル５に対して第１のＰＤＣＣＨ／ＥＰＤＣＣＨに基づくモニタを行うよう設定してもよい。また、基地局装置３は、下りリンクセル５におけるＰＤＳＣＨのスケジューリングに用いられる第１のＰＤＣＣＨ／ＥＰＤＣＣＨ（ＤＣＩフォーマット６でもよい）が、下りリンクセル５において送信されることを示す情報を送信してもよい。また、基地局装置３は、下りリンクセル６におけるＰＤＳＣＨのスケジューリングに用いられる第１のＰＤＣＣＨ／ＥＰＤＣＣＨが、下りリンクセル５において送信されることを示す情報を送信してもよい。また、基地局装置３は、下りリンクセル７におけるＰＤＳＣＨのスケジューリングに用いられる第１のＰＤＣＣＨ／ＥＰＤＣＣＨが、下りリンクセル５において送信されることを示す情報を送信してもよい。
【０１３４】
なお、図１０はＰＤＣＣＨを用いた例を示しているが、ＥＰＤＣＣＨでも適用できる。また、端末装置１がモニタするセルはプライマリーセルでもよいし、セカンダリーセルで設定されたセルでもよい。また、セルグループ化されたＰＵＣＣＨセルでもよいし、端末装置１は一括符号化されたＰＤＣＣＨ／ＥＰＤＣＣＨを含むセルのみモニタしてもよい。ここで、一括符号化されるかどうかは、端末装置１に対してＲＲＣパラメータを介して設定されてもよい。
【０１３５】
図１１は、一括符号化ではなくセル毎にＰＤＣＣＨ／ＥＰＤＣＣＨを介してＰＤＳＣＨを受信する例を示している。すなわち、上述したように、ＤＣＩフォーマットとして、１つの下りリンクセルにおける１つのＰＤＳＣＨのスケジューリングに用いられるＤＣＩフォーマットが定義されてもよい（例えば、ＤＣＩフォーマット１、ＤＣＩフォーマット１Ａとして定義されてもよい）。ここで、１つの下りリンクセルにおける１つのＰＤＳＣＨのスケジューリングに用いられるＤＣＩフォーマットの送信に用いられるＰＤＣＣＨ／ＥＰＤＣＣＨを、個別符号化（Separate Coding）されたＰＤＣＣＨ／ＥＰＤＣＣＨ（第２のＰＤＣＣＨ／ＥＰＤＣＣＨ）とも称する。ここで、端末装置１が、第２のＰＤＤＣＨ／ＥＰＤＣＣＨをモニタすることを、第２のＰＤＤＣＨ／ＥＰＤＣＣＨに基づくモニタリングとも称する。すなわち、第２のＰＤＤＣＨ／ＥＰＤＣＣＨに基づくモニタリングとは、第２のＰＤＤＣＨ／ＥＰＤＣＣＨに対してデコードを試みることが含まれてもよい。
【０１３６】
ここで、基地局装置３は、端末装置１に対してＰＤＣＣＨ／ＥＰＤＣＣＨの一括符号化を想定するよう設定した場合には、図１１のようなＰＤＣＣＨ／ＥＰＤＣＣＨの個別符号化は用いず、一括符号化のみでＰＤＣＣＨ／ＥＰＤＣＣＨを送信してもよい。端末装置１は、一括符号化が設定された場合には、個別符号化を期待せず、設定された下りリンクセルのＰＤＣＣＨ／ＥＰＤＣＣＨをモニタしてもよい。
【０１３７】
すなわち、基地局装置３は、第１のＰＤＣＣＨ／ＥＰＤＣＣＨに基づいたモニタを行うのか、第２のＰＤＣＣＨ／ＥＰＤＣＣＨに基づいたモニタを行うのか、をサービングセル毎に設定してもよい。基地局装置３は、第１のＰＤＣＣＨ／ＥＰＤＣＣＨに基づいたモニタを行うのか、第２のＰＤＣＣＨ／ＥＰＤＣＣＨに基づいたモニタを行うのか、を指示するために用いられる情報が含まれる上位層の信号を送信してもよい。ここで、ある１つのサービングセルに対して、第１のＰＤＣＣＨ／ＥＰＤＣＣＨに基づいたモニタ、および、第２のＰＤＣＣＨ／ＥＰＤＣＣＨに基づいたモニタの両方を行うことは設定されない。すなわち、ある１つのサービングセルにおいて、第１のＰＤＣＣＨ／ＥＰＤＣＣＨに基づいたモニタリング、および、第２のＰＤＣＣＨ／ＥＰＤＣＣＨに基づいたモニタリングは混在しなくてもよい。すなわち、端末装置１は、ある１つのサービングセルにおいては、常に、第１のＰＤＣＣＨ／ＥＰＤＣＣＨに対するモニタリング、または、第２のＰＤＣＣＨ／ＥＰＤＣＣＨに対するモニタリングを実行してもよい。
【０１３８】
ここで、ＤＣＩフォーマット６は、少なくとも、該ＤＣＩフォーマット６が送信されるサービングセルと同一のサービングセルにおけるＰＤＳＣＨのスケジューリングに用いられてもよい。すなわち、ＤＣＩフォーマット６が送信されるサービングセルにおけるＰＤＳＣＨは、該サービングセルとは異なるサービングセルで送信されるＤＣＩフォーマットを用いてスケジュールされない。すなわち、第１のＰＤＣＣＨ／ＥＰＤＣＣＨに基づいたモニタを行うことを設定されたサービングセルは、該サービングセルとは異なるサービングセルで送信されるＤＣＩフォーマット（ＰＤＣＣＨでもよい）を用いてスケジュールされない。すなわち、第１のＰＤＣＣＨ／ＥＰＤＣＣＨに基づいたモニタを行うことを設定されたサービングセルは、常に、該サービングセルにおいて送信されるＤＣＩフォーマット（ＰＤＣＣＨでもよい）を用いてスケジュールされる。
【０１３９】
ここで、ＤＣＩフォーマット６（第１のＰＤＣＣＨ／ＥＰＤＣＣＨでもよい）は、ＵＳＳのみで受信（検出）されてもよい。すなわち、ＤＣＩフォーマット６は、ＣＳＳにはマップされずに、ＵＳＳのみにおいてマップされてもよい。すなわち、端末装置１は、ＵＳＳのみで、ＤＣＩフォーマット５（第１のＰＤＣＣＨ／ＥＰＤＣＣＨでもよい）に対するデコードを試みてもよい。
【０１４０】
ここで、例えば、ＤＣＩフォーマット６がマップされるＵＳＳ（ＵＳＳの位置、インデックス）は、少なくとも、Ｃ−ＲＮＴＩ、および、サービングセルインデックスを用いた、ハッシュ関数に基づいて算出されても（与えられても）よい。
【０１４１】
上述したように、基地局装置３は、上位層の信号に含まれる情報を用いることによって、基地局装置３は、ある１つのＤＣＩフォーマット６を用いることによってスケジュールされる複数のＰＤＳＣＨを設定してもよい。例えば、基地局装置３は、下りリンクセル５（例えば、サービングセルインデックス１）におけるＰＤＳＣＨのスケジューリングに用いられる第１のＰＤＣＣＨ／ＥＰＤＣＣＨ（ＤＣＩフォーマット６でもよい）が、下りリンクセル５において送信されることを示す情報を送信してもよい。また、基地局装置３は、下りリンクセル６（例えば、サービングセルインデックス２）におけるＰＤＳＣＨのスケジューリングに用いられる第１のＰＤＣＣＨ／ＥＰＤＣＣＨが、下りリンクセル５において送信されることを示す情報を送信してもよい。また、基地局装置３は、下りリンクセル７（例えば、サービングセルインデックス３）におけるＰＤＳＣＨのスケジューリングに用いられる第１のＰＤＣＣＨ／ＥＰＤＣＣＨが、下りリンクセル５において送信されることを示す情報を送信してもよい。
【０１４２】
ここで、ＤＣＩフォーマット６がマップされるＵＳＳを算出するために用いられるサービングセルインデックスは、基地局装置３によって設定されたサービングセルインデックスのうちの、最も小さいサービングセルインデックス（この例においては、サービングセルインデックス１）であってもよい。また、ＤＣＩフォーマットがマップされるＵＳＳを算出するために用いられるサービングセルインデックスは、基地局装置３によって設定されたサービングセルインデックスのうちの、最も大きいサービングセルインデックス（この例においては、サービングセルインデックス３）であってもよい。すなわち、ＤＣＩフォーマット６がマップされるＵＳＳを算出するために用いられるサービングセルインデックスは、基地局装置３によって上位層の信号を用いて送信された情報に基づいて決定されてもよい。すなわち、複数のサービングセルにおける複数のＰＤＳＣＨのスケジューリングに用いられるＤＣＩフォーマット（第２のＰＤＣＣＨ／ＥＰＤＣＣＨ）は、上位層の信号を用いて送信された情報に基づいて決定されてもよい。ここで、サービングセルインデックスは、ＤＣＩフォーマット６に含まれるＣＩＦの値と同じであってもよい。
【０１４３】
ここで、ＤＣＩフォーマット６がマップされるＵＳＳを算出するために用いられるサービングセルインデックスは、仕様書などによって予め定義されてもよい。例えば、ＤＣＩフォーマット６がマップされるＵＳＳを算出するために用いられるサービングセルインデックスは、０であってもよい。すなわち、ＤＣＩフォーマット６がマップされるＵＳＳを算出において、サービングセルインデックスは用いられなくてもよい。
【０１４４】
ここで、ＤＣＩフォーマット１／１Ａ（第２のＰＤＣＣＨ／ＥＰＤＣＣＨ）がマップされるＵＳＳを算出するために用いられるＣＩＦの値は、サービングセルインデックスに基づいて決定されてもよい。例えば、クロスキャリアスケジューリングが設定された場合において、該ＤＣＩフォーマットに含まれるＣＩＦの値が、ＤＣＩフォーマット１／１Ａ（第２のＰＤＣＣＨ／ＥＰＤＣＣＨ）がマップされるＵＳＳを算出するために用いられる。
【０１４５】
ここで、クロスキャリアスケジューリングが設定されていない場合において、ＤＣＩフォーマット１／１Ａ（第２のＰＤＣＣＨ／ＥＰＤＣＣＨ）がマップされるＵＳＳを算出のためにＣＩＦは用いられない。
【０１４６】
図１２は、セルグループが設定された場合のＰＤＣＣＨ／ＥＰＤＣＣＨを介してＰＤＳＣＨを受信する図を示している。
【０１４７】
同図において、基地局装置３は、端末装置１に対してセルグループ毎にＰＤＣＣＨ／ＥＰＤＣＣＨをモニタする下りリンクセルを設定する。ここでは、セルグループ内に１つの下りリンクセルをモニタリングセルとし、セルグループはＰＵＣＣＨを送信する単位（ＰＵＣＣＨセルグループ）で設定してもよいし、独立に設定してもよい。
【０１４８】
以下、本実施形態における装置の構成について説明する。
【０１４９】
図１３は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベースバンド部１３を含んで構成される。上位層処理部１４は、制御部１５、および、無線リソース制御部１６を含んで構成される。無線送受信部１０を送信部、または、受信部とも称する。
【０１５０】
上位層処理部１４は、ユーザの操作等により生成された上りリンクデータ（トランスポートブロック）を、無線送受信部１０に出力する。また、上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１５１】
上位層処理部１４が備える無線リソース制御部１６は、自装置の各種設定情報／パラメータの管理をする。無線リソース制御部１６は、基地局装置３から受信した上位層の信号に基づいて各種設定情報／パラメータをセットする。すなわち、無線リソース制御部１６は、基地局装置３から受信した各種設定情報／パラメータを示す情報に基づいて各種設定情報／パラメータをセットする。
【０１５２】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【０１５３】
ＲＦ部１２は、アンテナ部１１を介して受信した信号を、直交復調によりベースバンド信号に変換し（ダウンコンバート: down covert）、不要な周波数成分を除去する。ＲＦ部１２は、処理をしたアナログ信号をベースバンド部に出力する。
【０１５４】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する
【０１５５】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【０１５６】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。
【０１５７】
図１４は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、制御部３５、および、無線リソース制御部３６を含んで構成される。無線送受信部３０を送信部、または、受信部とも称する。
【０１５８】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１５９】
上位層処理部３４が備える無線リソース制御部３６は、物理下りリンクチャネルに配置される下りリンクデータ（トランスポートブロック）、システムインフォメーション、ＲＲＣメッセージ、ＭＡＣ  ＣＥ（Control Element）などを生成し、又は上位ノードから取得し、無線送受信部３０に出力する。また、無線リソース制御部３６は、端末装置１各々の各種設定情報／パラメータの管理をする。無線リソース制御部３６は、上位層の信号を介して端末装置１各々に対して各種設定情報／パラメータをセットしてもよい。すなわち、無線リソース制御部３６は、各種設定情報／パラメータを示す情報を送信／報知する。
【０１６０】
無線送受信部３０の機能は、無線送受信部１０と同様であるため説明を省略する。
【０１６１】
しかしながら、無線送受信部１０の機能は、端末装置１毎に異なる。例えば、端末装置１毎に、キャリアアグリゲーションを適用可能なバンド（キャリア、周波数）の組み合わせは異なる。従って、端末装置１は、自装置がサポートしている機能を示す情報／パラメータUECapabilityInformationを基地局装置３に送信する。
【０１６２】
なお、「サポート」の意味は、該機能（または通信方式）を実現するために必要なハードウェア、および／または、ソフトウェアなどを端末装置１に実装し、３ＧＰＰにおいて規定された適合性試験（規格認証試験、Ｃｏｎｆｏｒｍａｎｃｅ  Ｔｅｓｔ）をパスしたことを意味する。
【０１６３】
このように、本発明における端末装置は、５より大きい数の下りリンクキャリアを設定していることを示す情報と、同時に物理下りリンク制御チャネルをモニタ可能なセルの数を示す情報を受信する受信部と、前記同時に物理下りリンク制御チャネルをモニタ可能なセルの数を示す情報により指示されたセルの物理下りリンク制御チャネルをモニタするモニタ部と、を備える。
【０１６４】
また、本発明における端末装置は、５より大きい数の下りリンクキャリアを設定していることを示す情報と、  同時に活性化できる下りリンクセルの数を示す情報を受信する受信部と、同時に活性化できる下りリンクセルの数を示す情報に基づいて下りリンクセルを活性化する媒体アクセス制御（MAC: Medium Access Control）層処理部と、前記媒体アクセス制御（MAC: Medium Access Control）層処理部により活性化されたセルの物理下りリンク制御チャネルをモニタするモニタ部と、を備える。
【０１６５】
また、本発明における基地局装置は、５より大きい数の下りリンクキャリアを設定していることを示す情報と、同時に物理下りリンク制御チャネルをモニタ可能なセルの数を示す情報を送信する送信部と、前記同時に物理下りリンク制御チャネルをモニタ可能なセルの数を示す情報により指示したセルの物理下りリンク制御チャネルを送信する物理下りリンク制御チャネル送信部と、を備える。
【０１６６】
また、本発明における基地局装置は、５より大きい数の下りリンクキャリアを設定していることを示す情報と、と、同時に活性化できる下りリンクセルの数を示す情報を送信する送信部と、同時に活性化できる下りリンクセルの数を示す情報に基づいて下りリンクセルを活性化する媒体アクセス制御（MAC: Medium Access Control）層処理部と、前記媒体アクセス制御（MAC: Medium Access Control）層処理部により活性化したセルの物理下りリンク制御チャネルを送信する物理下りリンク制御チャネル送信部と、を備える。
【０１６７】
また、本発明における通信方法は、端末装置１の通信方法であって、５より大きい数の下りリンクキャリアを設定していることを示す情報と、同時に物理下りリンク制御チャネルをモニタ可能なセルの数を示す情報を受信し、前記同時に物理下りリンク制御チャネルをモニタ可能なセルの数を示す情報により指示されたセルの物理下りリンク制御チャネルをモニタする。
【０１６８】
また、本発明における通信方法は、端末装置１の通信方法であって、５より大きい数の下りリンクキャリアを設定していることを示す情報と、同時に活性化できる下りリンクセルの数を示す情報を受信し、同時に活性化できる下りリンクセルの数を示す情報に基づいて下りリンクセルを活性化し、前記活性化されたセルの物理下りリンク制御チャネルをモニタする。
【０１６９】
また、本発明における通信方法は、端末装置１と通信する基地局装置３の通信方法であって、５より大きい数の下りリンクキャリアを設定していることを示す情報と、同時に物理下りリンク制御チャネルをモニタ可能なセルの数を示す情報を送信し、前記同時に物理下りリンク制御チャネルをモニタ可能なセルの数を示す情報により指示したセルの物理下りリンク制御チャネルを送信する。
【０１７０】
また、本発明における通信方法は、端末装置１と通信する基地局装置３の通信方法であって、５より大きい数の下りリンクキャリアを設定していることを示す情報と、同時に活性化できる下りリンクセルの数を示す情報を送信し、同時に活性化できる下りリンクセルの数を示す情報に基づいて下りリンクセルを活性化し、前記活性化したセルの物理下りリンク制御チャネルを送信する。
【０１７１】
また、本発明における集積回路は、基地局装置３と通信する端末装置１に搭載される集積回路であって、５より大きい数の下りリンクキャリアを設定していることを示す情報と、同時に物理下りリンク制御チャネルをモニタ可能なセルの数を示す情報を受信し、前記同時に物理下りリンク制御チャネルをモニタ可能なセルの数を示す情報により指示されたセルの物理下りリンク制御チャネルをモニタする機能を前記端末装置に発揮させる。
【０１７２】
また、本発明における集積回路は、基地局装置３と通信する端末装置１に搭載される集積回路であって、５より大きい数の下りリンクキャリアを設定していることを示す情報と、同時に活性化できる下りリンクセルの数を示す情報を受信し、同時に活性化できる下りリンクセルの数を示す情報に基づいて下りリンクセルを活性化し、前記活性化されたセルの物理下りリンク制御チャネルをモニタする機能を前記端末装置に発揮させる。
【０１７３】
また、本発明における集積回路は、端末装置１と通信する基地局装置３に搭載される集積回路であって、５より大きい数の下りリンクキャリアを設定していることを示す情報と、同時に物理下りリンク制御チャネルをモニタ可能なセルの数を示す情報を送信し、前記同時に物理下りリンク制御チャネルをモニタ可能なセルの数を示す情報により指示したセルの物理下りリンク制御チャネルを送信する機能を前記基地局装置３に発揮させる。
【０１７４】
また、本発明における集積回路は、端末装置１と通信する基地局装置３に搭載される集積回路であって、５より大きい数の下りリンクキャリアを設定していることを示す情報と、同時に活性化できる下りリンクセルの数を示す情報を送信し、同時に活性化できる下りリンクセルの数を示す情報に基づいて下りリンクセルを活性化し、前記活性化したセルの物理下りリンク制御チャネルを送信する機能を前記基地局装置３に発揮させる。
【０１７５】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１７６】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１７７】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１７８】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１７９】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１８０】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１８１】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１８２】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１８３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１８４】
１（１Ａ、１Ｂ、１Ｃ）  端末装置
３  基地局装置
５  下りリンクセル
６  下りリンクセル
７  下りリンクセル
１０  無線送受信部
１１  アンテナ部
１２  ＲＦ部
１３  ベースバンド部
１４  上位層処理部
１５  制御部
１６  無線リソース制御部
３０  無線送受信部
３１  アンテナ部
３２  ＲＦ部
３３  ベースバンド部
３４  上位層処理部
３５  制御部
３６  無線リソース制御部
【図１】
2018050090.tif 000003
【図２】
2018050090.tif 000004
【図３】
2018050090.tif 000005
【図４】
2018050090.tif 000006
【図５】
2018050090.tif 000007
【図６】
2018050090.tif 000008
【図７】
2018050090.tif 000009
【図８】
2018050090.tif 000010
【図９】
2018050090.tif 000011
【図１０】
2018050090.tif 000012
【図１１】
2018050090.tif 000013
【図１２】
2018050090.tif 000014
【図１３】
2018050090.tif 000015
【図１４】
2018050090.tif 000016